【事件の表示】
　特願２００３−　８５４１１「シート状物の乾燥機」拒絶査定不服審判事件〔平成１６年１０月２１日出願公開、特開２００４−２９１３３５〕について、次のとおり審決する。
【結　論】
　本件審判の請求は、成り立たない。
【理　由】
第１　手続の経緯
　本願は、平成１５年３月２６日の出願であって、平成１７年１１月２５日に手続補正がなされたが、平成１９年８月１７日付けで拒絶理由が通知され、平成１９年１２月２７日付けで拒絶査定がなされたため、これに対し、平成２０年２月１４日に拒絶査定不服審判が請求されたものである。　
　
第２　本願発明
　本願の請求項１に係る発明は、平成１７年１１月２５日付けで補正された明細書及び図面の記載からみて、その特許請求の範囲の請求項１に記載された事項によって特定される以下のとおりのものである（以下「本願発明」という。）。　
　
「シート状物を搬送する搬送手段と、　
　この搬送手段によって搬送されるシート状物の搬送経路の下方に設けられ、下面に印刷またはコーティングされたシート状物を乾燥させる下面乾燥用ユニットとを備えたシート状物の乾燥機において、　
　前記下面乾燥用ユニットを、　
　下面乾燥用ランプと、　
　この下面乾燥用ランプの上方に設けられた透明板と、　
　この透明板の前記シート状物の搬送方向下流側に設けられた第１の案内板とで構成し、　
　前記第１の案内板に少なくとも一部が前記透明板の上方を通過するように空気を吐出する第１の吐出孔を設けたことを特徴とするシート状物の乾燥機。」　
　
第３　刊行物に記載の事項　
　１　平成１９年８月１７日付け拒絶理由通知において引用例１として提示した、本願出願前に頒布された刊行物である特開平１０−１８０９８４号公報（以下「引用例１」という。）には、図とともに次の事項が記載されている。　
（１）「【００１５】　
【発明の実施の形態】以下に、本発明の実施の形態を図面につき詳しく説明する。　
【００１６】オフセット印刷機が、特に裏返し装置と、後置された２つのニス引き装置とを有する多色印刷のための印刷装置を備えている。
印刷物５として枚葉紙
グリッパシステム４を備えた、排紙装置内を循環するチェーン搬送システム３
このグリッパシステム４は、印刷物５を圧胴１から排紙パイル８へ搬送するのに役立つ。この際、印刷物５は、ニューマチック的に負荷可能な印刷物ガイドシステム９を備えた乾燥装置１８と、対向して位置するように配置された乾燥装置１０とに沿って、搬送方向１２で搬送されて、制動装置６ならびにブロー装置７の使用に基づき排紙パイル８へ積まれる。排紙装置は、印刷機から空気を排出する吸出し装置１１を有している。印刷物ガイドシステム９は、モジュール式構造
排紙装置内に配置されている。
乾燥装置１８が、
印刷物ガイドシステム９内に
組み込まれて配置されている。
【００１７】
乾燥装置１８は、例えば単数または複数の赤外線装置１７
から成っており
【００１８】乾燥装置１０に隣接する
枚葉紙ガイドシステム９のモジュールは、主として、印刷物５の裏面に向けられたガイド面１９を備えた、いわゆる閉じられたブロー／サクションボックスから成っている。前記ガイド面１９は多数の開口１４を有している。このようなブロー／サクションボックスは、
ボックスケーシング２０と、ボックスカバーを形成するガイド面１９とが結合されている
【００１９】開口１４間の自由スペースに、ガイド面１９の背面に沿って、冷却システム１５がボックスケーシング２０の内部に配置されている。この冷却システム１５は、例えば水のような冷却媒体によって貫流される。この冷却システム１５は、熱交換器、流れ監視装置、調整槽および循環ポンプに作用接続している。本実施例では冷却システム１５は、配置された冷却通路によって形成されており、この場合、ガイド面１９の背面は冷却通路の部分である。さらに
印刷物ガイドシステム９は、ボックスケーシング２０に配置されたニューマチックシステム１３を有しており、このニューマチックシステム１３は、例えば一列のファンによって形成されている。
【００２０】
乾燥装置１８は、本実施例において赤外線装置１７を明示しており、この赤外線装置１７に流出開口１６が機能的に配属されている。これらの流出開口１６は別体の空冷システムに接続されている。流出開口１６はガイド面１９へ開口している
　
（２）「【００２６】印刷物５が両面に印刷されていると、この印刷物５は両側から乾燥装置１０，１８によって加熱される。このような運転形式は、
特に両面刷り運転で印刷された印刷物５に有利である。ニューマチックシステム１３はこの際、ブロー運転に切り換えられている。生ぜしめられた空気流が開口１４において流出し、印刷物５の裏面にエアクッションを形成することによって、該印刷物５のガイドを助成する。
この空気流は流出開口１６において流出し、印刷物５のガイドを助成する。
　
（３）
乾燥装置を備えた排紙装置
　
排紙装置が、制動装置６と、ブロー装置７と、排紙パイル８と、印刷物５を圧胴１から前記排紙パイル８へ搬送するグリッパシステム４を備えたチェーン搬送システム３と、印刷物５の搬送経路の下方に配置された印刷物ガイドシステム９と、印刷物５の搬送経路の上方の前記印刷物ガイドシステム９と対向する位置に配置された乾燥装置１０と、吸出し装置１１とを備える
　
（４）印刷物ガイドシステムに乾燥装置が組み込まれている図である図２から、　
　
印刷物ガイドシステム９の搬送方向１２の略中央部に、２つの赤外線装置１７からなる乾燥装置１８が組み込まれ、
乾燥装置１８が組み込まれた、ガイド面１９の搬送方向１２の略中央部以外には、搬送方向１２に並んだ多数の開口１４が設けられていること
　
（５）上記（１）ないし（４）から、引用例１には次の発明（以下「引用発明１」という。）が記載されているものと認められる。　
「枚葉紙の印刷物５を圧胴１から排紙パイル８へ搬送するグリッパシステム４を備えた、排紙装置内を循環するチェーン搬送システムと、印刷物５の搬送経路の下方に配置された印刷物ガイドシステム９の搬送方向１２の略中央部に組み込まれた乾燥装置１８と、これと対向して位置するように配置された乾燥装置１０と、制動装置６と、ブロー装置７と、排紙パイル８と、印刷機から空気を排出する吸出し装置１１とを備え、印刷物５を、乾燥装置１８と、これと対向して位置するように配置された乾燥装置１０とに沿って、搬送方向１２に搬送して、制動装置６ならびにブロー装置７の使用に基づき排紙パイル８へ積む排紙装置であって、　
　前記乾燥装置１８は、単数または複数の赤外線装置１７から成り、
　前記印刷物ガイドシステム９のモジュールは、主として、ボックスケーシング２０と、多数の開口１４を有し、ボックスカバーを形成するガイド面１９とが結合された、いわゆる閉じられたブロー／サクションボックスから成り、　
　印刷物ガイドシステム９の赤外線装置１７と対応した位置に、ガイド面１９へ開口している流出開口１６が機能的に配属され、乾燥装置１８が組み込まれた、ガイド面１９の搬送方向１２の略中央部以外には、搬送方向１２に並んだ多数の開口１４が設けられており、　
　前記ボックスケーシング２０には、一列のファンによって形成されているニューマチックシステム１３が配置されているものであって、
　両面刷り運転の際、前記ニューマチックシステム１３はブロー運転に切り換えられ、生ぜしめられた空気流が開口１４において流出し、印刷物５の裏面にエアクッションを形成することによって、該印刷物５のガイドを助成し、別の空気流が流出開口１６において流出し、印刷物５のガイドを助成する排紙装置。」　
　
　２　平成１９年８月１７日付け拒絶理由通知において引用例２として提示した、本願出願前に頒布された刊行物である特開２００１−３５４３４５号公報（以下「引用例２」という。）には、図とともに次の事項が記載されている。　
（１）「【０００１】　
【発明の属する技術分野】本発明は、
枚葉印刷機のシートパスラインに近接して設備し、印刷を行っているシート（枚葉紙）を安定的に移送するためのシートガイド装置に関する
（２）「【００１１】　
【発明が解決しようとする課題】ところで、
シートガイド装置２においては、ノズル４から噴出する空気等の流れによって、シート１をガイドに沿わせ、且つガイドに接触させないようにし、しかも、良好な印刷をできるようにする必要がある。そのためには、単にノズル４から空気を吹き出すだけでは不十分である。
　
（３）「【００１５】本発明は、上述の課題に鑑み創案されたもので、
搬送するシートの変形やばたつきを十分に抑制できるようにして、良好な印刷物を得ることができるようにした、枚葉印刷機のシートガイド装置
　
（４）「【００２１】本実施形態の
シートガイド装置２は、空気噴流を用いて搬送シート１を案内する空気噴流式のものであり、
エアボックス（エアチャンバ）３と、エアボックス３のガイド面（ガイド）３ａに設けられた複数個のノズル４と、エアボックス３に圧送空気を供給する配管５と、圧送空気を発生させるブロワ（空気源）６とをそなえている。
【００２２】そして、
ブロワ６で発生した圧送空気が配管５を通じてエアボックス３に供給され、ガイド面３ａの各ノズル４からガイド面３ａに沿うように噴射され、この空気噴流によって搬送シート１の走行姿勢の安定化を図るようになっている。
【００２３】ここで、
本シートガイド装置２では、空気を吹き出す各ノズル４の吹き出し方向をシート１の搬送方向に対して逆方向にする（図１，図２参照）とともに、複数のノズル４を格子状に配置し、
【００２４】このような設定の根拠について説明する。まず、上述のように、
ガイド面３ａに沿って空気を吹き出すことで、ガイド面３ａの静圧を減少させシート１をガイド面３ａに沿わせる吸着力を発生させて、シート１をガイド面３ａの近傍に保持させているが、これに加えて、各ノズル４の吹き出し方向をシート１の搬送方向に対して逆方向にしているのは、以下の理由による。つまり、空気の吹き出し方向をシート１の搬送方向に対して逆方向にすると、各ノズル４からの空気噴流のシート１に対する相対速度が高くなり、上記のシート１をガイド面３ａに沿わせる吸着力が高まる一方で、ガイド面３ａのさらに近傍においては、相対速度の高い空気噴流による、シート１を一定以上に噴流側（ガイド面３ａ）に接近させないようにする作用が強まって、シート１をガイド面３ａから所定の距離に安定して保持させることができる
　
（５）上記（１）ないし（４）から、引用例２には次の発明（以下「引用発明２」という。）が記載されているものと認められる。　
　
「枚葉印刷機のシートパスラインに近接して設備し、印刷を行っているシート（枚葉紙）を安定的に移送するため、ノズルから噴出する空気等の流れによって、シートをガイドに沿わせ、且つガイドに接触させないようにし、しかも、良好な印刷をできるようにする必要があるシートガイド装置において、　
　単にノズルから空気を吹き出すだけでは不十分であることに鑑み、搬送するシートの変形やばたつきを十分に抑制できるようにして、良好な印刷物を得ることを目的として、　
　エアボックス（エアチャンバ）３と、エアボックス３のガイド面（ガイド）３ａに設けられた複数個の、格子状に配置したノズル４と、エアボックス３に圧送空気を供給する配管５と、圧送空気を発生させるブロワ（空気源）６とをそなえて、空気噴流を用いて搬送シート１を案内する空気噴流式のものであり、 
　前記ブロワ６で発生させた圧送空気を、前記配管５を通じて前記エアボックス３に供給し、前記ガイド面３ａの各ノズル４からガイド面３ａに沿うように噴射して、この空気噴流によって搬送シート１の走行姿勢の安定化を図るものであって、 
　ガイド面３ａに沿って空気を吹き出すことで、ガイド面３ａの静圧を減少させてシート１をガイド面３ａに沿わせる吸着力を発生させ、シート１をガイド面３ａの近傍に保持することに加えて、 
　各ノズル４の空気の吹き出し方向をシート１の搬送方向に対して逆方向にすることで、各ノズル４からの空気噴流のシート１に対する相対速度が高くなり、上記のシート１をガイド面３ａに沿わせる吸着力が高まる一方で、ガイド面３ａのさらに近傍においては、相対速度の高い空気噴流による、シート１を一定以上に噴流側（ガイド面３ａ）に接近させないようにする作用が強まって、シート１をガイド面３ａから所定の距離に安定して保持させることができるシートガイド装置。」 
　
第４　対比 
　本願発明と引用発明１とを比較する。　
　
１　引用発明１の「排紙装置」は、「乾燥装置１８」と、「乾燥装置１０」とを備え、「『枚葉紙の印刷物５』を、乾燥装置１８と、これと対向して位置するように配置された乾燥装置１０とに沿って、搬送方向１２に搬送」するものであるから、「シート状物の乾燥機」である点で本願発明と一致する。　
　
２　引用発明１の「枚葉紙の印刷物５」、「枚葉紙の印刷物５を圧胴１から排紙パイル８へ搬送するグリッパシステム４を備えた、排紙装置内を循環するチェーン搬送システム」、「『乾燥装置１８』が組み込まれる、『印刷物５の搬送経路の下方に配置された印刷物ガイドシステム９』」、「ガイド面１９」及び「『空気流』が『流出する』『開口１４』」は、それぞれ、本願発明の「シート状物」、「シート状物を搬送する搬送手段」、「この搬送手段によって搬送されるシート状物の搬送経路の下方に設けられ、下面に印刷またはコーティングされたシート状物を乾燥させる下面乾燥用ユニット」、「第１の案内板」及び「空気を吐出する第１の吐出孔」に相当する。　
　
３　引用発明１の「『単数または複数の赤外線装置１７から成』る『乾燥装置１８』」は、「シート状物（枚葉紙の印刷物５）」を乾燥させるための手段である点で、本願発明の「下面乾燥用ランプ」と一致する。　
　
４　引用発明１の「印刷物ガイドシステム９」は、「搬送方向１２の略中央部」に「乾燥装置１８」が組み込まれるものであって、その「モジュールは、主として、ボックスケーシング２０と、多数の開口１４を有し、ボックスカバーを形成するガイド面１９とが結合されてた、いわゆる閉じられたブロー／サクションボックスから成り」、「乾燥装置１８が組み込まれた、ガイド面１９の搬送方向１２の略中央部以外には、搬送方向１２に並んだ多数の開口１４が設けられており」、「前記ボックスケーシング２０には、一列のファンによって形成されているニューマチックシステム１３が配置されているものであって、両面刷り運転の際、前記ニューマチックシステム１３はブロー運転に切り換えられ、生ぜしめられた空気流が開口１４において流出し、印刷物５の裏面にエアクッションを形成することによって、該印刷物５のガイドを助成」するものである。ここで、乾燥装置１８が組み込まれるのは、前記ガイド面１９の搬送方向１２の略中央部でもあるのだから、ガイド面１９は、乾燥装置１８の搬送方向上流及び下流のいずれにも存在している。
　してみると、引用発明１の「印刷物ガイドシステム９」は、本願発明の「下面乾燥用ユニット」の、乾燥させるための手段「の前記シート状物の搬送方向下流側に設けられた第１の案内板（ガイド面１９）」を有し、「『前記第１の案内板に』『空気を吐出する第１の吐出孔（開口１４）を設けた』」との構成を備えるものといえる。　
　
５　上記１ないし４から、本願発明と引用発明１とは、
「シート状物を搬送する搬送手段と、　
この搬送手段によって搬送されるシート状物の搬送経路の下方に設けられ、下面に印刷またはコーティングされたシート状物を乾燥させる下面乾燥用ユニットとを備えたシート状物の乾燥機において、　
　前記下面乾燥用ユニットを、　
　乾燥させるための手段と、　
　この乾燥させるための手段の前記シート状物の搬送方向下流側に設けられた第１の案内板とを含んで構成し、　
　前記第１の案内板に空気を吐出する第１の吐出孔を設けたことシート状物の乾燥機。」　
である点で一致し、次の点で相違する。
　
相違点１：　
　乾燥させるための手段が、本願発明においては、「下面乾燥用ランプ」であるのに対して、引用発明１では、そうでない点。　
　
相違点２：　
　本願発明の下面乾燥用ユニットが、構成要素として下面乾燥用ランプの上方に設けられた透明板を有するものであるのに対して、引用発明１の下面乾燥用ユニットは、そのような透明板を有していない点。　
　
相違点３：　
　本願発明においては、前記第１の吐出孔の少なくとも一部が前記透明板の上方を通過するように空気を吐出するのに対して、引用発明１の第１の吐出孔が、そのように吐出するものではない点。　
　
第５　判断
　上記相違点１ないし３について検討する。
１　相違点１及び２について　
　ア　シート状物を乾燥させるための手段としてランプを採用することは、本願出願前周知である（例．特開昭５２−５６６１５号公報（特許請求の範囲の「赤外線ランプ」参照。）、特開平６−３１２４９８号公報（【００４５】の「フラッシュランプ」参照。）、特開平３−８６２３６号公報（公報１頁右下欄５行〜２頁左上欄２行、特に「下面にガラスがはめ込まれた密閉容器内に、直管形のランプと反射板が収納され」の記載を参照。）。以下「周知技術１」という。）。
　また、ランプからみて、光を照射する物品側に透明板を設けることも、本願出願前に周知である（例．特開平６−３１２４９８号公報（【００４５】の「保護ガラス」参照。）、特開平３−８６２３６号公報（公報１頁右下欄５行〜２頁左上欄２行、特に「下面にガラスがはめ込まれた密閉容器内に、直管形のランプと反射板が収納され」の記載を参照。）、特開２００２−２５５１３１号公報（【００７４】〜【００７６】、【図１】「耐熱ガラス」で構成される「光拡散板」参照。）、特開昭６１−６３８７３号公報（特許請求の範囲、公報２頁右上欄１６行〜同頁左下欄５行及び第１図、「光透過ガラス７」参照。）。以下「周知技術２」という。）。
　イ　よって、周知技術１及び２から、引用発明１の「乾燥装置１８が組み込まれる、印刷物５の搬送経路の下方に配置された印刷物ガイドシステム９（下面乾燥用ユニット）」において、その乾燥させるための手段としてランプを採用するとともに，ランプから見て印刷物５の搬送経路側に透明板を設けることは、当業者にとって自明のことといえる。　
　ウ　上記イのように構成した印刷物ガイドシステム９におけるランプは、「下面乾燥用ランプ」といえるものであり、また、その透明板は、ランプの上方に位置することとなるから、引用発明１において、上記相違点１及び２に係る本願発明の構成となすことは、周知技術１及び２に基づいて当業者が適宜なし得た程度のことである。　
　
２　相違点３について
　ア　引用発明１が、両面刷り運転の際、前記ニューマチックシステム１３はブロー運転に切り換えられ、生ぜしめられた空気流が開口１４において流出し、印刷物５の裏面にエアクッションを形成することによって、該印刷物５のガイドを助成するものであるところ、印刷物の変形やばたつきを十分に抑制し、より安定的に移送することは、自明の課題といえる。よって、引用発明１において、引用発明２の構成を採用することには動機があるといえる。　
　イ　よって、「乾燥装置１８が組み込まれる、印刷物５の搬送経路の下方に配置された印刷物ガイドシステム９（下面乾燥用ユニット）」の乾燥させるための手段として下面乾燥用ランプを採用し、該下面乾燥用ランプの上方に透明板を設けた引用発明１（上記１　ウ参照。）において、引用発明２（上記第３　２（５）参照）の構成を採用し、「開口１４（引用発明２の「各ノズル４」が相当する。）」の吹き出し方向を「枚葉紙の印刷物５（引用発明２の「シート１」が相当する。）」の搬送方向１２に対して逆方向にし、「ガイド面１９（引用発明２の「ガイド面３ａ」が相当する。）」に沿って空気を吹き出すように構成することにより、前記開口１４からの「空気流（引用発明２の「空気噴流」が相当する。）」の印刷物５に対する相対速度を高くして、上記印刷物５をガイド面１９に沿わせる吸着力が高める一方で、ガイド面１９のさらに近傍においては、相対速度の高い空気噴流による、印刷物５を一定以上に噴流側（ガイド面１９）に接近させないようにする作用を強めて、印刷物５をガイド面１９から所定の距離に安定して保持させることは、当業者が容易になし得たことといえる。
　ここで、引用発明１のガイド面１９は、「乾燥装置１８の搬送方向上流及び下流のいずれにも存在している」（上記「第４　４」参照。）ものであるところ、ガイド面１９の、乾燥装置１８よりも搬送方向下流に位置する部分に設けられた開口１４から、搬送方向１２に対して逆方向に吹き出した空気の少なくとも一部は、前記下面乾燥用ランプの上方に設けられた透明板の上方を通過する。
　ウ　よって、引用発明１において、上記相違点２に係る構成となすことは、引用発明２、周知技術１及び２に基づいて当業者が容易になし得たことである。　
　
３　効果について　
　本願発明の奏する効果は、引用発明１及び２の奏する効果、周知技術１及び２の奏する効果から当業者が予測することができた程度のものである。　
　
４　まとめ　
　したがって、本願発明は、引用発明１及び２並びに周知技術１及び２に基づいて当業者が容易に発明をすることができたものである。　
　
第６　むすび
　本願発明は、本願発明は、引用例１及び２に記載された発明及び周知技術１及び２に基いて当業者が容易に発明をすることができたものであるから、本願発明は、特許法第２９条第２項の規定により特許を受けることができない。